(57)【要約】【課題】ケースに対するキャップの着脱を容易にすること。【解決手段】フィルタ装置用キャップ２０は、有底筒状をなし、筒形のフィルタエレメント３０を収容するとともに、フィルタ装置のケース１０の開口部１１に対して、ねじ込まれることにより取り付けられる。複数の外側面２６を有し、着脱用工具４０が係合可能な断面多角形状の係合部２４を有している。外側面２６におけるキャップ２０の中心軸線Ｃを中心とする締め付け方向の後側には、突出部２７が設けられている。【選択図】図１
2019118906.tif 000002
【特許請求の範囲】
【請求項１】
有底筒状をなし、筒形のフィルタエレメントを収容するとともに、フィルタ装置のケースの開口部に対して、ねじ込まれることにより取り付けられるキャップであって、
複数の外側面を有し、着脱用工具が係合可能な断面多角形状の係合部を有し、
前記外側面における当該キャップの中心軸線を中心とする締め付け方向の後側には、突出部が設けられている、
フィルタ装置用キャップ。
【請求項２】
前記突出部は、前記締め付け方向において間隔をおいて複数設けられている、
請求項１に記載のフィルタ装置用キャップ。
【請求項３】
前記突出部は、当該キャップの中心軸線の軸線方向に沿って延在している、
請求項１または請求項２に記載のフィルタ装置用キャップ。
【発明の詳細な説明】
【技術分野】
【０００１】
本発明は、有底筒状をなし、筒形のフィルタエレメントを収容するとともに、フィルタ装置のケースの開口部に対して、ねじ込まれることにより取り付けられるキャップに関する。
【背景技術】
【０００２】
この種のフィルタ装置としては、例えば内燃機関のオイルフィルタ装置がある（例えば特許文献１参照）。
オイルフィルタ装置は、ケースと、ケースの開口部に対して、ねじ込まれることにより取り付けられる有底筒状のキャップと、ケース及びキャップの内部に収容され、オイルに含まれる異物を濾過する筒形のフィルタエレメントとを備えている。
【０００３】
キャップの下部には、着脱用レンチが係合可能な断面多角形状の係合部を有している。
【先行技術文献】
【特許文献】
【０００４】
【特許文献１】特開平１０−２０２０１５号公報
【発明の概要】
【発明が解決しようとする課題】
【０００５】
ところで、こうした従来のキャップの場合、以下の不都合が生じるおそれがある。すなわち、フィルタエレメントの交換作業時のようにケースに対してキャップを取り付ける際に、キャップの係合部とのクリアランスが小さい正規の着脱用レンチを使用する場合、規定トルクよりも大きいトルクにてキャップが締め付けられることがある。
【０００６】
このように過締め付けされたキャップをケースから取り外す際に、キャップの係合部とのクリアランスが大きい工具を使用する場合には、工具によって係合部の角部が塑性変形する、所謂工具なめが生じやすい。その結果、ケースからキャップを取り外すことができなくなることがある。この場合、ケース及びキャップの一式の交換が必要になる場合もある。
【０００７】
本発明の目的は、ケースに対するキャップの着脱を容易としたフィルタ装置用キャップを提供することにある。
【課題を解決するための手段】
【０００８】
上記目的を達成するためのフィルタ装置用キャップは、有底筒状をなし、筒形のフィルタエレメントを収容するとともに、フィルタ装置のケースの開口部に対して、ねじ込まれることにより取り付けられるキャップであって、複数の外側面を有し、着脱用工具が係合可能な断面多角形状の係合部を有し、前記外側面における当該キャップの中心軸線を中心とする締め付け方向の後側には、突出部が設けられている。
【０００９】
上記構成のキャップにおいては、正規の着脱用工具のサイズに対応するように突出部が設定されるとともに、突出部を除いた係合部全体の寸法は従来に比べて小さく設定される。
【００１０】
ケースに対してキャップを取り付ける際、作業者は、キャップの係合部に着脱用工具（以下、工具という）を係合させて締め付け方向の前方に向けて工具を回転させる。このとき、上記構成によれば、工具は突出部に係合せず、係合部の角部に係合される。ここで、上述したように、突出部を除いた係合部全体の寸法が小さく、工具と係合部との間のクリアランスが大きくなるために、係合部に対してトルクが伝達されにくくなる。
【００１１】
これにより、キャップが規定トルクよりも大きなトルクにて締め付けられることを抑制できる。
一方、ケースからキャップを取り外す際、作業者は、キャップの係合部に工具を係合させて締め付け方向の後方に向けて工具を回転させる。このとき、上記構成によれば、工具が突出部に係合することで、係合部に対してトルクが伝達されやすくなる。これにより、キャップを取り外しやすくなる。
【発明の効果】
【００１２】
本発明によれば、ケースに対するキャップの着脱が容易となる。
【図面の簡単な説明】
【００１３】
【図１】フィルタ装置用キャップの一実施形態において、オイルフィルタ装置を構成するケースと、フィルタエレメントを収容した状態のキャップと、着脱用工具とを互いに離間して示す斜視図。
【図２】同実施形態におけるキャップの下面図。
【図３】同実施形態のキャップの係合部と着脱用工具との位置関係を示す模式図であって、（ａ）は、キャップを締め付けているときの位置関係を示す図、（ｂ）はキャップを緩めているときの位置関係を示す図。
【図４】変形例におけるキャップの下面図。
【図５】他の変形例におけるキャップの下面図。
【図６】他の変形例におけるキャップの要部斜視図。
【図７】他の変形例におけるキャップの要部斜視図。
【発明を実施するための形態】
【００１４】
以下、図１〜図３を参照して、フィルタ装置用キャップ（以下、キャップ）の一実施形態について説明する。本実施形態では、フィルタ装置を内燃機関のオイルフィルタ装置として具体化している。
【００１５】
図１に示すように、オイルフィルタ装置は、機関本体に対して固定されたケース１０と、ケース１０に対して着脱可能な有底筒状のキャップ２０と、ケース１０及びキャップ２０の内部に収容される筒形のフィルタエレメント３０とを備えている。
【００１６】
ケース１０は、硬質の樹脂材料または金属材料からなり、下方に開口する開口部１１を有する筒状部１３を備えている。
筒状部１３の開口部１１の内周面には、雌ねじ部１２が設けられている。
【００１７】
キャップ２０は、硬質の樹脂材料または金属材料からなり、上方に開口する開口部２１を有している。キャップ２０の上端部の外周面には、ケース１０の雌ねじ部１２に螺合される雄ねじ部２２が設けられている。
【００１８】
ケース１０の筒状部１３の開口部１１に対してキャップ２０の上端部がねじ込まれることにより、ケース１０に対してキャップ２０が取り付けられる。
また、キャップ２０の内部には、筒形のフィルタエレメント３０が収容される。
【００１９】
図１及び図２に示すように、キャップ２０の下部、すなわち開口部２１とは反対側の端部には、いずれも長方形状をなす複数（本実施形態では１４個）の外側面２６を有し、着脱用工具（以下、工具４０）が係合可能な断面正十四角形状の係合部２４が設けられている。工具４０は、係合部２４の形状に対応した断面正十四角形状の内側面４１を有している。
【００２０】
なお、キャップ２０の下面の中央部には、図示しないドレン孔及びドレン孔を閉塞するドレンボルト２８が設けられている。
図２に示すように、複数の外側面２６のうちの４つの外側面２６には、キャップ２０の中心軸線Ｃの軸線方向（以下、軸線方向）に沿って延在する半円柱状の突出部２７が設けられている。
【００２１】
各突出部２７は、当該外側面２６における中心軸線Ｃを中心とするキャップ２０の締め付け方向（同図の矢印方向）の後側に設けられている。
各突出部２７は、当該外側面２６における軸線方向の全体にわたって設けられている。
【００２２】
本実施形態では、４つの突出部２７が、締め付け方向において略等間隔（本実施形態では略９０度間隔）にて設けられている。
次に、図３を参照して、ケース１０に対してキャップ２０を着脱する手順及び本実施形態の作用について説明する。
【００２３】
本実施形態のキャップ２０においては、正規の工具４０のサイズに対応するように突出部２７が設定されるとともに、突出部２７を除いた係合部２４全体の寸法は従来に比べて小さく設定される。
【００２４】
本実施形態のキャップ２０をケース１０に対して取り付ける際、作業者は、まず、フィルタエレメント３０が収容されたキャップ２０を把持した状態で、ケース１０の開口部１１に対して、キャップ２０の上端部をねじ込む。
【００２５】
その後、図３（ａ）に示すように、作業者は、キャップ２０の係合部２４に対して工具４０の内側面４１を係合させて締め付け方向（同図の矢印にて示す方向）の前方に向けて工具４０を回転させる。
【００２６】
このとき、工具４０の内側面４１は突出部２７に係合せず、係合部２４の角部２５に係合される。
ここで、突出部２７を除いた係合部２４全体の寸法が工具４０に対して小さく、工具４０の内側面４１と係合部２４の外側面２６との間のクリアランスが大きくなるために、係合部２４に対してトルクが伝達されにくくなる。これにより、キャップ２０が規定トルクよりも大きなトルクにて締め付けられることを抑制できる。
【００２７】
一方、図３（ｂ）に示すように、キャップ２０をケース１０から取り外す際、作業者は、キャップ２０の係合部２４に工具４０を係合させて締め付け方向の後方に向けて工具４０を回転させる。このとき、工具４０の内側面４１が突出部２７に係合することで、係合部２４に対してトルクが伝達されやすくなる。これにより、キャップ２０を取り外しやすくなる。
【００２８】
以上説明した本実施形態に係るフィルタ装置用キャップによれば、以下に示す効果が得られるようになる。
（１）キャップ２０は、複数の外側面２６を有し、工具４０が係合可能な断面多角形状の係合部２４を有している。
【００２９】
外側面２６におけるキャップ２０の中心軸線Ｃを中心とする締め付け方向の後側には、突出部２７が設けられている。
こうした構成によれば、上記作用を奏することから、ケース１０に対するキャップ２０の着脱が容易となる。
【００３０】
（２）突出部２７は、締め付け方向において間隔をおいて複数設けられている。
こうした構成によれば、ケース１０からキャップ２０を取り外す際、工具４０が締め付け方向において間隔をおいて設けられた複数の突出部２７に係合することで、係合部２４に対してトルクが一層伝達されやすくなる。これにより、キャップ２０を一層容易に取り外しやすくなる。
【００３１】
（３）突出部２７は、キャップ２０の中心軸線Ｃの軸線方向に沿って延在している。
こうした構成によれば、工具４０と突出部２７との接触面積を増やすことができる。このため、キャップ２０に対してトルクが一層伝達されやすくなる。
【００３２】
＜変形例＞
なお、上記実施形態は、例えば以下のように変更することもできる。
・図４及び図５に示すように、係合部１２４の断面形状を、六角形状などの他の多角形状としてもよい。
【００３３】
・図５に示すように、突出部２７を係合部１２４における全ての外側面１２６に設けてもよい。
・突出部は、係合部２４の外側面２６における軸線方向の全体にわたって設けられるものに限らない。他に例えば、図６に示すように、突出部２２７が、係合部２４の外側面２６における軸線方向の一部分に設けられるものであってもよい。また、図７に示すように、上側ほど先細りした形状の突出部３２７であってもよい。
【符号の説明】
【００３４】
１０…ケース、１１…開口部、１２…雌ねじ部、１３…筒状部、２０…キャップ、２１…開口部、２２…雄ねじ部、２４，１２４…係合部、２５…角部、２６，１２６…外側面、２７，２２７，３２７…突出部、２８…ドレンボルト、３０…フィルタエレメント、４０…工具（着脱用工具）、４１…内側面。
【図１】
2019118906.tif 000003
【図２】
2019118906.tif 000004
【図３】
2019118906.tif 000005
【図４】
2019118906.tif 000006
【図５】
2019118906.tif 000007
【図６】
2019118906.tif 000008
【図７】
2019118906.tif 000009